(57)【要約】      （修正有）【課題】他者に漏洩することなく、画面遷移するために設定されたロックを簡単に解除できるようにするロック解除装置を提供する。【解決手段】電子デバイス１３で画面遷移の指示がされたときに、電子デバイスが記録カード媒体１４から鍵情報を無線通信により取得する。そして、記録カード媒体から取得した鍵情報と、電子デバイスに予め記憶されている認証用鍵情報とが一致するか否かを電子デバイスにて判定し、一致する場合に、画面遷移をするためのロックを解除するようにしている。また、ロック解除画面に、偽のロック解除画面を表示させる事によって、電子デバイスに予め記憶されている認証用鍵情報とが一致するか否かを電子デバイスにて判定し、一致しなかった場合および他の操作がなされた場合に、自動的にカメラ撮影をするようにしている。【選択図】図１
0003191306.tif 000002
【実用新案登録請求の範囲】
【請求項１】
画面およびカメラ機能が備えられた電子デバイスと、上記画面遷移をするために設定された使用制限のためのロックを解除するための鍵情報が記憶された記録カード媒体とを備えて成る画面遷移をするためのロック解除装置であって、上記電子デバイスおよび上記記録カード媒体は、近距離無線通信機能を備え、互いが通信可能圏内に近接したときに上記鍵情報を無線通信可能に構成されており、上記電子デバイスは、認証用鍵情報を記憶する認証用鍵情報記憶部と、上記画面遷移が指示されたときに、上記記録カード媒体から上記鍵情報を無線通信により取得する鍵情報取得部と、上記鍵情報取得部により上記記録カード媒体から上記鍵情報を取得できたか否かを判定するとともに、上記鍵情報を取得できた場合には、当該取得した上記鍵情報と上記認証用鍵情報記憶部に記憶されている上記認証用鍵情報とが一致するか否かを判定し、一致する場合に上記ロックを解除、一致しない場合および他の操作がなされた場合に上記ロックを解除することなく、自動的にカメラ撮影をするカメラ撮影処理部とを備えたことを特徴とする画面遷移のためのロック解除装置。
【請求項２】
上記記録カード媒体に記憶された鍵情報は、上記記録カード媒体の固有ＩＤであり、上記電子デバイスの認証用鍵情報記憶部に記憶された上記認証用鍵情報は、上記記録カード媒体から無線通信により取得して登録した上記固有ＩＤであることを特徴とする請求項１に記載の画面遷移のためのロック解除装置。
【考案の詳細な説明】
【技術分野】
【０００１】この考案は、画面遷移をするためのロック解除を記録カード媒体を介して解除する装置に関する。
【背景技術】
【０００２】現在、電子デバイスにおいて、画面遷移をする際、遷移を制限するためのロック機能が提供されている。従来のロック機能では、画面を操作することによって、パスワード入力画面が表示される。ここで、ユーザが正しいパスワードを入力すると、画面遷移をし、通常に使用できる状態となる。このロック機能は、電子デバイスを紛失した場合などの万が一のためのセキュリティとして有効な機能であるが、画面遷移をする都度パスワードを手入力しなければならないという面倒があった。さらに、従来のロック解除は、暗証番号もしくはパスコードを活用していたもので、指の動きを観察されることによって他者に漏洩する可能性があった。
【先行技術文献】
【特許文献】
【０００３】
【特許文献１】  特開２０１３−１０９６９５号広報
【考案の概要】
【考案が解決しようとする課題】
【０００４】しかしながら、上記特許文献１に記載の技術では、アプリケーションのロック解除を対象としたものである。さらに、特許文献１に記載の技術では、他者がロック解除を試みようとしたとしても、その事実が発覚することはない。そこで、本考案は、面倒な操作や作業をすることなく、画面遷移をするために設定されたロックを簡単に解除できるようにするとともに、他者がロック解除の操作を試みたという事実を確認できることを目的とする。
【課題を解決するための手段】
【０００５】以上の課題を解決するために、本考案の構成は、電子デバイスで画面遷移の指示がされたときに、電子デバイスが記録カード媒体から鍵情報を無線通信により取得する。そして、記録カード媒体から取得した鍵情報と、電子デバイスに予め記憶されている認証用鍵情報とが一致するか否かを電子デバイスにて判定し、一致する場合に、画面遷移をするためのロックを解除するようにしている。また、ロック解除画面に、偽のロック解除画面を表示させる事によって、電子デバイスに予め記憶されている認証用鍵情報とが一致するか否かを電子デバイスにて判定し、一致しなかった場合および他の操作がなされた場合に、自動的にカメラ撮影をするようにしている。
【考案の効果】
【０００６】上記のように構成した本考案によれば、電子デバイスで画面遷移をしようとするときに、ユーザがパスワードを手入力したり、ＩＣカードをアダプタにより接続したりすることなく、ただ単に記録カード媒体を電子デバイスに近づけるだけで、鍵情報が無線通信され、画面遷移をするためのロックが解除される。加えて、電子デバイスに予め記憶されている認証用鍵情報が一致するか否かを電子デバイスにて判定し、一致しなかった場合および他の操作がなされた場合に、自動的にカメラ撮影をする。これにより、ユーザが面倒な操作や作業をすることなく、画面遷移をするためのロックを簡単に解除することができ、他者がロック解除を試みた場合に、その事実を確認することができる。
【図面の簡単な説明】
【０００７】
【図１】  画面遷移をするためのロック解除装置のブロック図である。
【図２】  画面遷移をするためのロック解除装置の動作例を示すフローチャートである。
【考案を実施するための形態】
【０００８】以下、本考案の一実施形態を図面に基づいて説明する。図１は、本実施形態による画面遷移するためのロック解除装置の構成例を示すブロック図である。図１に示すように、本実施形態による画面遷移するためのロック解除装置は、画面およびカメラ機能が記憶された電子デバイス１３と、画面使用制限のためのロックを解除するための鍵情報が記憶された記録カード媒体１４とを備えて構成されている。
【０００９】電子デバイス１３は、例えばスマートフォンである。記録カード媒体１４は、例えばＩＣカードである。以下では、スマートフォン１３およびＩＣカード１４と記す。これらのスマートフォン１３およびＩＣカード１４は、ＮＦＣ（Ｎｅａｒ  Ｆｅｉｌｄ  Ｃｏｍｍｕｎｉｃａｔｉｏｎ）等の近距離無線通信機能を備え、互いが通信可能圏内に近接したときに、鍵情報を無線通信可能に構成されている。
【００１０】ＩＣカード１４は、固有ＩＤ記憶部２１、固有ＩＤ読出部２２および無線通信部２３を備えている。固有ＩＤ記憶部２１は、ＩＣカード１４に固有のＩＤを記憶している。本実施形態では、このような固有ＩＤを鍵情報として用いる。
【００１１】固有ＩＤ読出部２２は、スマートフォン１３からの要求に応じて、固有ＩＤ記憶部２１から固有ＩＤを読み出して無線通信部２３に供給する。スマートフォン１３からの要求は、ロック解除用に使用するＩＣカード１４をスマートフォン１３に登録するときや、画面遷移をするために設定されているロックを解除するときに行われる。
【００１２】無線通信部２３は、スマートフォン１３との間で無線通信を行う。具体的には、無線通信部２３は、スマートフォン１３から送られてくる鍵情報の取得要求を受信して固有ＩＤ読出部２２に通知し、その応答として固有ＩＤ記憶部２１から読み出された鍵情報としての固有ＩＤをスマートフォン１３に送信する。
【００１３】スマートフォン１３は、ロック設定・解除用プログラム記憶部１、画面遷移実行部２、無線通信部３、固有ＩＤ登録部４、認証用鍵情報記憶部５、ロックパターン選択部６、ロックパターン記憶部７、操作受付部８、ロック設定処理部９、鍵情報取得部１０、ロック解除処理部１１およびカメラ撮影処理部１２を備えて構成されている。
【００１４】ロック設定・解除用プログラム記憶部１は、画面遷移をするためのロックの設定および解除に関する処理を行うためのロック設定・解除用プログラムを記憶する。
【００１５】画面遷移実行部２は、ユーザがタッチパネル等の操作部を操作してスリープ画面から画面遷移を実行する。画面遷移をする際にロックが設定されている場合については、そのロックを解除しなければ画面遷移をできないようになされている。
【００１６】無線通信部３は、ＩＣカード１４との間で無線通信を行う。具体的には、無線通信部３は、ＩＣカード１４に対して鍵情報の取得要求を送信し、その応答としてＩＣカード１４から送られてくる鍵情報としての固有ＩＤを受信する。そして、受信した固有ＩＤを固有ＩＤ登録部４または鍵情報取得部１０に供給する。固有ＩＤ登録部４または鍵情報取得部１０のどちらに固有ＩＤを供給するかについては、鍵情報の取得要求を発行した方である。
【００１７】固有ＩＤ登録部４は、ユーザがタッチパネル等を操作して、ロック解除用に使用するＩＣカード１４の登録を指示したときに、登録画面をタッチパネルに表示させる。この登録画面には、ＩＣカード１４をスマートフォン１３に近づけることをユーザに促すメッセージが含まれている。また、固有ＩＤ登録部４は、鍵情報の取得要求を発行して無線通信部３に供給する。このとき、ＩＣカード１４がスマートフォン１３に近づけられていると、無線通信部３は鍵情報の取得要求をＩＣカード１４に送信することができる。
【００１８】そして、固有ＩＤ登録部４は、無線通信部３が上記の取得要求をＩＣカード１４に送信したことに応答して返信されてくる固有ＩＤを、認証用鍵情報として認証用鍵情報記憶部５に記憶させる。これにより、ＩＣカード１４の固有ＩＤ記憶部２１に記憶されている固有ＩＤが、スマートフォン１３の認証用鍵情報記憶部５に認証用鍵情報として登録される。
【００１９】ロックパターン選択部６は、ユーザによるタッチパネル等に対する操作を通じて、操作後に一度のみロックを設定するか、操作後に毎回ロックを設定するかを選択する。ロックパターン記憶部７は、ロックパターン選択部６により選択されたロックパターンの識別情報を記憶する。
【００２０】操作受付部８は、ユーザによる操作部に対する各種操作を受け付ける。具体的には、操作受付部８は、画面遷移を実行させることを指示するための操作を受け付ける。この操作は、例えば、スマートフォン１３のスリープ画面をタッチする操作である。操作受付部８は、この操作を受け付けたときに、画面遷移の実行が指示されたことを画面遷移実行部２に通知する。
【００２１】また、操作受付部８は、ロック解除用に使用するＩＣカード１４の登録を指示するための操作を受け付ける。操作受付部８は、この操作を受け付けたときに、ＩＣカード１４の登録が指示されたことを固有ＩＤ登録部４に通知する。
【００２２】さらに、操作受付部８は、ロックパターンを選択する操作を受け付ける。この操作は、上記のように、スマートフォン１３のタッチパネルに表示されたロックパターンを選択するタッチ操作である。操作受付部８は、この操作を受け付けたときに、ロックパターンが指示されたことをロックパターン選択部６に通知する。
【００２３】ロック設定処理部９は、ロックパターン記憶部７に記憶されたロックパターンについて、これを画面遷移実行部２が起動して実行しようとするときに、その動作をロックする。具体的には、ロック設定処理部９は、偽のロック解除画面をタッチパネルに全画面表示させ、タッチパネルの操作は一切行えないものとする。
【００２４】鍵情報取得部１０は、ロックパターン記憶部７に記憶されたロックパターンについて、これを画面遷移実行部２が起動して実行しようとするときに、鍵情報の取得要求を発行して無線通信部３に供給する。このとき、偽のロック解除画面が表示されて、ＩＣカード１４がスマートフォン１３に近づけられていると、無線通信部３は鍵情報の取得要求をＩＣカード１４に送信することができる。
【００２５】そして、鍵情報取得部１０は、無線通信部３が上記の取得要求をＩＣカード１４に送信したことに応答して返信されてくる固有ＩＤを取得する。鍵情報取得部１０は、ＩＣカード１４から無線通信により取得した固有ＩＤをロック解除処理部１１に供給する。
【００２６】ロック解除処理部１１は、鍵情報取得部１０によりＩＣカード１４から鍵情報としての固有ＩＤを取得できたか否かを判定する。また、ロック解除処理部１１は、固有ＩＤを取得できたと判定した場合に、当該取得した固有ＩＤと、認証用鍵情報記憶部５に認証用鍵情報として記憶されている固有ＩＤとが一致するか否かを判定する。そして、双方の固有ＩＤが一致すると判定した場合に、画面ロックを解除する。
【００２７】ロック解除処理部１１によって画面遷移をするためのロックが解除されると、画面遷移実行部２により起動して実行される。その結果、偽のロック解除画面が消えて、画面がタッチパネルに表示される。これにより、スマートフォン１３は使用可能な状態となる。一方、ＩＣカード１４から固有ＩＤを取得できないか、取得した固有ＩＤと認証用の固有ＩＤとが一致しない場合には、ロック解除処理部１１は画面遷移をするためのロックを解除しない。この場合は、偽のロック解除画面がタッチパネルに表示された状態のままとなり、自動的にカメラ撮影処理部１２でカメラ撮影が実行される。
【００２８】次に、上記のように構成した本実施形態によるロック解除装置の動作を説明する。図２は、本実施形態によるロック解除装置の動作例を示すフローチャートである。図２に示すフローチャートは、ユーザがタッチパネルに表示されたスリープ画面を操作して画面遷移の実行指示をしたときに開始する。なお、図２に示すフローチャートの開始時点において、ＩＣカード１４の固有ＩＤは既に認証用鍵情報記憶部５に登録され、画面遷移することは既にロックパターン記憶部７に登録されているものとする。
【００２９】ユーザによる画面遷移の実行指示に関する操作を操作受付部８が受け付けると、その旨の通知を受けて画面遷移実行部２は、画面遷移する事がロック対象として指定されているか否かをロック設定処理部９に問い合わせる。ロック設定処理部９は、ロックパターン記憶部７を参照し、画面遷移することがロック対象として指定されているか否かを判定する。
【００３０】ここで、ユーザにより実行指示された画面遷移がロック対象として指定されている場合、ロック設定処理部９は、タッチパネルに偽のロック解除画面を表示させることにより、スマートフォン１３を使用できない状態に制限する。また、ロック設定処理部９は、画面遷移がロック対象となっていることを画面遷移実行部２に回答する。画面遷移実行部２は、その回答内容を鍵情報取得部１０に通知する。
【００３１】画面遷移がロック対象となっている旨の通知を受けて、鍵情報取得部１０は、鍵情報の取得要求を発行して無線通信部３に供給する。無線通信部３は、その鍵情報の取得要求をＩＣカード１４に送信する。その後、鍵情報取得部１０は、鍵情報の取得要求を送信したことの応答として、ＩＣカード１４から鍵情報として送られてくる固有ＩＤを取得できたか否かを判定する。
【００３２】ここで、ＩＣカード１４がスマートフォン１３に近づけられていないと、鍵情報取得部１０はＩＣカード１４から固有ＩＤを取得できない。その場合、ロック設定処理部９は、偽のロック解除画面を表示し続ける。
【００３３】ユーザが偽のロック解除画面を表示したスマートフォン１３にＩＣカード１４を近づけると、鍵情報取得部１０はＩＣカード１４から固有ＩＤを取得できる。その場合、鍵情報取得部１０は、ＩＣカード１４から取得した固有ＩＤをロック解除処理部１１に供給する。ロック解除処理部１１は、ＩＣカード１４から取得した固有ＩＤと、認証用鍵情報記憶部５に予め記憶されている認証用の固有ＩＤとが一致するか否かを判定する。
【００３４】ここで、固有ＩＤが一致した場合、ロック解除処理部１１は画面遷移をするためのロックを解除する。このロック解除を受けて画面遷移実行部２は、画面遷移をする。これにより、ユーザが実行指示した画面が使用可能な状態となり、図２に示すフローチャートの処理は終了する。一方、固有ＩＤが一致しない場合およびスマートフォン１３に他の操作が加わった場合、ロック解除処理部１１はロックを解除せず、自動的にカメラ撮影処理部１２がカメラ撮影をする。そして、処理は偽のロック解除画面表示に戻る。
【００３５】なお、上記において、ユーザにより実行指示された画面遷移がロック対象として指定されていないと判断した場合、画面遷移を実行させる。これにより、図２に示すフローチャートの処理は終了する。
【００３６】以上詳しく説明したように、本実施形態では、ユーザがスマートフォン１３で画面遷移を指示した後、ＩＣカード１４をスマートフォン１３に近づけると、スマートフォン１３がＩＣカード１４から鍵情報（固有ＩＤ）を無線通信により取得する。そして、ＩＣカード１４から取得した鍵情報と、スマートフォン１３の認証用鍵情報記憶部５に予め登録しておいた認証用鍵情報（固有ＩＤ）とが一致するか否かを判定し、一致する場合に、画面遷移するために設定されたロックを解除、一致しない場合および他の操作がスマートフォン１３に加わった場合に画面遷移するために設定されたロックを解除せず、自動的にカメラ撮影をするようにしている。
【００３７】このように構成した本実施形態によれば、スマートフォン１３で画面遷移するときに、ユーザがパスワードを手入力したり、ＩＣカードをアダプタにより接続したりすることなく、ただ単にＩＣカード１４をスマートフォン１３に近づけるだけで、鍵情報が無線通信され、画面遷移するために設定された使用制限のためのロックが解除される。これにより、ユーザが面倒な操作や作業をすることなく、画面遷移するためのロックを簡単に解除することができ、他者によるロック解除がなされた場合に、その事実を確認する事ができる。
【００３８】また、本実施形態では、ロック解除のための鍵情報として、ＩＣカード１４の固有ＩＤ（Ｆｅｌｉｃａの「ＩＤｍ」やＭｉｆａｒｅの「ＵＩＤ」など）を用いている。この固有ＩＤは書き換えができないため、悪意の第三者が複製のカードを作って不正使用することを防止できる。
【００３９】上記実施形態では、記録カード媒体の一例としてＩＣカード１４を挙げて説明したが、このＩＣカード１４の例として、たばこカード、住民基本台帳カード、社員証、学生証などを用いることができる。また、ＩＣカード１４の代わりに、Ｓｕｉｃａ、Ｅｄｙ、ＰＡＳＭＯ、ＩＣＯＣＡ、おサイフケータイなどの交通系カードや電子マネー機器などを用いてもよい。さらに、物流や小売などで使用されるＩＣタグを用いてもよい。
【００４０】また、上記実施形態では、電子デバイスの一例としてスマートフォン１３を挙げて説明したが、本考案はこれに限定されない。例えば、ＰＣ、タブレット端末など、画面およびカメラ機能が備えられている情報機器であれば何れを用いてもよい。
【００４１】また、上記実施形態では、画面遷移の実行が指示されたときに、偽のロック解除画面を全画面表示させて電子デバイスを使用できない状態にし、鍵情報に基づいてロックが解除された後で、画面遷移するようにしているが、本考案はこれに限定されない。例えば、画面遷移の実行が指示されたときに、画面遷移しつつ、電子デバイスには偽のロック解除画面を全画面表示させて画面を使用できない状態にしてもよい。このようにすれば、ロックが解除されたときに、画面を使用可能な状態にするまでの時間を短くすることができる。
【００４２】その他、上記実施形態は、何れも本考案を実施するにあたっての具体化の一例を示したものに過ぎず、これによって本考案の技術的範囲が限定的に解釈されてはならないものである。すなわち、本考案はその要旨、またはその主要な特徴から逸脱することなく、様々な形で実施することができる。
【符号の説明】
【００４３】１  ロック設定・解除用プログラム記憶部
２  画面遷移実行部
３  無線通信部
４  固有ＩＤ登録部
５  認証用鍵情報記憶部
６  ロックパターン選択部
７  ロックパターン記憶部
８  操作受付部
９  ロック設定処理部
１０  鍵情報取得部
１１  ロック解除処理部
１２  カメラ撮影処理部
１３  電子デバイス（スマートフォン）
１４  記録カード媒体（ＩＣカード）
【図１】
0003191306.tif 000003
【図２】
0003191306.tif 000004